(57)【要約】【課題】  追記型の記録媒体に記録されたコピー禁止情報を別の記録媒体に記録する際に、元のコピー禁止情報を読み出し不可能にすることによって、コピー禁止情報を移動できる信号処理装置、および信号処理方法を提供する。【解決手段】  追記型光ディスク２００に記録された情報がコピー禁止情報であった場合、コピー禁止情報の記録再生装置３００への出力にともなって、所定強度のレーザーで追記型光ディスク２００に書き込みを行うことによって、管理情報、ファイルシステム、ユーザデータ、または管理情報とユーザデータの両方の情報を破壊し、コピー禁止情報を読み出し不可能にする。【選択図】  図１
2006155816.tif 000002
【特許請求の範囲】
【請求項１】
追記型の記録媒体に記録されている情報を読み出して出力する信号処理装置であって、
前記追記型の記録媒体から情報を読み出す読み出し部と、
読み出した情報を他の記録媒体への記録装置に出力する送信部と、
複製を禁止されているコピー禁止情報が追記型の記録媒体から読み出されて他の記録媒体への記録装置に出力される場合に、前記コピー禁止情報、または前記読み出し部が前記コピー禁止情報を読み出すために必要な情報のうち少なくとも何れか一方の情報を、その記録領域に対する記録動作を行うことによって破壊し、前記コピー禁止情報を読み出し不能にする情報破壊部と、
を備えたことを特徴とする信号処理装置。
【請求項２】
請求項１の信号処理装置であって、
前記情報破壊部は、前記コピー禁止情報、および前記読み出し部が前記コピー禁止情報を読み出すために必要な情報の両方の情報を破壊することによって、前記コピー禁止情報を読み出し不能にするように構成されていることを特徴とする信号処理装置。
【請求項３】
請求項２の信号処理装置であって、
前記情報破壊部は、前記コピー禁止情報と前記コピー禁止情報を読み出すために必要な情報とが前記追記型の記録媒体の連続した領域に記録されている場合に、前記連続した領域に対し、連続して記録動作を行うことによって前記コピー禁止情報を読み出し不能にするように構成されていることを特徴とする信号処理装置。
【請求項４】
請求項２の信号処理装置であって、
前記情報破壊部は、前記コピー禁止情報が記録されている前記追記型の記録媒体の領域と前記コピー禁止情報を読み出すために必要な情報が記録された領域との間に、未記録の領域、または破壊可能な情報が記録された領域が存在し、これらの３つの領域が連続している場合に、前記３つの領域に対し、連続して記録動作を行うことによって前記コピー禁止情報を読み出し不能にするように構成されていることを特徴とする信号処理装置。
【請求項５】
請求項１の信号処理装置であって、
前記コピー禁止情報を読み出すために必要な情報は、
前記コピー禁止情報が記録されている前記追記型の記録媒体上の位置を示す情報、および
前記コピー禁止情報を他の情報と識別するための情報、
のうちの少なくとも何れか１つの情報であることを特徴とする信号処理装置。
【請求項６】
請求項１の信号処理装置であって、
前記追記型の記録媒体は、追記型光ディスクであり、
前記情報破壊部は、レーザー光を前記追記型光ディスクに照射することによって、前記追記型光ディスクに記録されている情報を破壊するように構成されていることを特徴とする信号処理装置。
【請求項７】
請求項１の信号処理装置であって、
前記読み出し部は、前記追記型の記録媒体から情報を所定量のデータから成るブロック単位で読み出すように構成され、
前記情報破壊部は、前記ブロック内の全ての情報を破壊することによって、前記コピー禁止情報を読み出し不能にするように構成されていることを特徴とする信号処理装置。
【請求項８】
請求項１の信号処理装置であって、
前記情報破壊部は、前記コピー禁止情報、または前記読み出し部が前記コピー禁止情報を読み出すために必要な情報のエラー訂正限界範囲以上の情報を破壊することによって、前記コピー禁止情報を読み出し不能にするように構成されていることを特徴とする信号処理装置。
【請求項９】
請求項１の信号処理装置であって、
前記追記型の記録媒体に記録された情報は、読み出しのタイミング生成に用いるシンク情報を含むものであって、
前記情報破壊部は、前記シンク情報を破壊することによって、前記コピー禁止情報を読み出し不能にするように構成されていることを特徴とする信号処理装置。
【請求項１０】
請求項１の信号処理装置であって、
前記読み出し部は、前記追記型の記録媒体から情報を所定量のデータから成るブロック単位で読み出すように構成され、
前記情報破壊部は、隣接した２つのブロックを連続して破壊する場合に、最初に破壊するブロックの末尾から次に破壊するブロックの先頭にかけて、連続して一度にそれぞれのブロック内のエラー訂正限界範囲以上の情報を破壊することによって、前記コピー禁止情報を読み出し不能にするように構成されていることを特徴とする信号処理装置。
【請求項１１】
請求項６の信号処理装置であって、
前記情報破壊部は、前記追記型光ディスクに情報を記録する際に用いるレーザー光の発光強度と同等の発光強度のレーザー光を照射することによって、情報の破壊を行うように構成されていることを特徴とする信号処理装置。
【請求項１２】
請求項６の信号処理装置であって、
前記情報破壊部は、前記追記型光ディスクに情報を記録際に用いるレーザー光の発光強度と情報を読み出し不能にするために必要最低限の発光強度との間の発光強度のレーザー光を照射することによって、情報の破壊を行うように構成されていることを特徴とする信号処理装置。
【請求項１３】
請求項６の信号処理装置であって、
前記情報破壊部は、前記追記型光ディスクに情報を記録際に用いるレーザー光の発光強度よりも大きな発光強度のレーザー光を照射することによって、情報の破壊を行うように構成されていることを特徴とする信号処理装置。
【請求項１４】
請求項１１から請求項１３のうちの何れか１項の信号処理装置であって、
さらに、前記追記型光ディスクの回転速度を線速度一定制御、または角速度一定制御に制御する回転制御部を備えていることを特徴とする信号処理装置。
【請求項１５】
追記型の記録媒体に記録されている情報を読み出して出力する信号処理方法であって、
前記追記型の記録媒体から情報を読み出す読み出しステップと、
読み出した情報を他の記録媒体への記録装置に出力する送信ステップと、
複製を禁止されているコピー禁止情報が追記型の記録媒体から読み出されて他の記録媒体への記録装置に出力される場合に、前記コピー禁止情報、または前記読み出し部が前記コピー禁止情報を読み出すために必要な情報のうち少なくとも何れか一方の情報を、その記録領域に対する記録動作を行うことによって破壊し、前記コピー禁止情報を読み出し不能にする情報破壊ステップと、
を備えたことを特徴とする信号処理方法。
【請求項１６】
請求項１５の信号処理方法であって、
前記情報破壊ステップは、前記コピー禁止情報、および前記読み出し部が前記コピー禁止情報を読み出すために必要な情報の両方の情報を破壊することによって、前記コピー禁止情報を読み出し不能にすることを特徴とする信号処理方法。
【請求項１７】
請求項１６の信号処理方法であって、
前記情報破壊ステップは、前記コピー禁止情報と前記コピー禁止情報を読み出すために必要な情報とが前記追記型の記録媒体の連続した領域に記録されている場合に、前記連続した領域に対し、連続して記録動作を行うことによって前記コピー禁止情報を読み出し不能にすることを特徴とする信号処理方法。
【請求項１８】
請求項１６の信号処理方法であって、
前記情報破壊ステップは、前記コピー禁止情報が記録されている前記追記型の記録媒体の領域と前記コピー禁止情報を読み出すために必要な情報が記録された領域との間に、未記録の領域、または破壊可能な情報が記録された領域が存在し、これらの３つの領域が連続している場合に、前記３つの領域に対し、連続して記録動作を行うことによって前記コピー禁止情報を読み出し不能にすることを特徴とする信号処理方法。
【請求項１９】
請求項１５の信号処理方法であって、
前記コピー禁止情報を読み出すために必要な情報は、
前記コピー禁止情報が記録されている前記追記型の記録媒体上の位置を示す情報、および
前記コピー禁止情報を他の情報と識別するための情報、
のうちの少なくとも何れか１つの情報であることを特徴とする信号処理方法。
【請求項２０】
請求項１５の信号処理方法であって、
前記追記型の記録媒体は、追記型光ディスクであり、
前記情報破壊ステップは、レーザー光を前記追記型光ディスクに照射することによって、前記追記型光ディスクに記録されている情報を破壊することを特徴とする信号処理方法。
【請求項２１】
請求項１５の信号処理方法であって、
前記読み出しステップは、前記追記型の記録媒体から情報を所定量のデータから成るブロック単位で読み出し、
前記情報破壊ステップは、前記ブロック内の全ての情報を破壊することによって、前記コピー禁止情報を読み出し不能にすることを特徴とする信号処理方法。
【請求項２２】
請求項１５の信号処理方法であって、
前記情報破壊ステップは、前記コピー禁止情報、または前記読み出し部が前記コピー禁止情報を読み出すために必要な情報のエラー訂正限界範囲以上の情報を破壊することによって、前記コピー禁止情報を読み出し不能にすることを特徴とする信号処理方法。
【請求項２３】
請求項１５の信号処理方法であって、
前記追記型の記録媒体に記録された情報は、読み出しのタイミング生成に用いるシンク情報を含むものであって、
前記情報破壊ステップは、前記シンク情報を破壊することによって、前記コピー禁止情報を読み出し不能にすることを特徴とする信号処理方法。
【請求項２４】
請求項１５の信号処理方法であって、
前記読み出しステップは、前記追記型の記録媒体から情報を所定量のデータから成るブロック単位で読み出し、
前記情報破壊ステップは、隣接した２つのブロックを連続して破壊する場合に、最初に破壊するブロックの末尾から次に破壊するブロックの先頭にかけて、連続して一度にそれぞれのブロック内のエラー訂正限界範囲以上の情報を破壊することによって、前記コピー禁止情報を読み出し不能にすることを特徴とする信号処理方法。
【請求項２５】
請求項２０の信号処理方法であって、
前記情報破壊ステップは、前記追記型光ディスクに情報を記録する際に用いるレーザー光の発光強度と同等の発光強度のレーザー光を照射することによって、情報の破壊を行うことを特徴とする信号処理方法。
【請求項２６】
請求項２０の信号処理方法であって、
前記情報破壊ステップは、前記追記型光ディスクに情報を記録際に用いるレーザー光の発光強度と情報を読み出し不能にするために必要最低限の発光強度との間の発光強度のレーザー光を照射することによって、情報の破壊を行うことを特徴とする信号処理方法。
【請求項２７】
請求項２０の信号処理方法であって、
前記情報破壊ステップは、前記追記型光ディスクに情報を記録際に用いるレーザー光の発光強度よりも大きな発光強度のレーザー光を照射することによって、情報の破壊を行うことを特徴とする信号処理方法。
【請求項２８】
請求項２５から請求項２７のうちの何れか１項の信号処理方法であって、
さらに、前記追記型光ディスクの回転速度を線速度一定制御、または角速度一定制御に制御する回転制御ステップを有することを特徴とする信号処理方法。
【発明の詳細な説明】
【技術分野】
【０００１】
本発明は、追記型の記録媒体に記録された、複製が禁止された情報（コピー禁止情報）を別の記録媒体に移動（ムーブ）する信号処理装置、および信号処理方法に関するものである。
【背景技術】
【０００２】
例えば、地上波デジタル放送のコピーワンス情報（一度だけ複製が許容されている情報）をＤＶＤ（Ｄｉｇｉｔａｌ  Ｖｅｒｓａｔｉｌｅ  Ｄｉｓｃ）レコーダで追記型光ディスクなどの記録媒体に記録した場合、記録された情報はコピー禁止情報（複製が禁止された情報）となる。そのコピー禁止情報をポータブルタイプのＳＤ（Ｓｅｃｕｒｅ  Ｄｉｇｉｔａｌ）メモリカード等の記録媒体に移動（ムーブ）できれば、活用範囲を大きく拡大することが可能となる。
【０００３】
記録媒体に記録されたコピー禁止情報を別の記録媒体に移動させる装置としては、書換え型の記録媒体であるビデオテープに記録されたコピー禁止情報を別の記録媒体に記録し、ビデオテープに記録された元のコピー禁止情報を消去するようにしたものがある（例えば、特許文献１を参照。）。
【特許文献１】特開２００１−３３３３７１号公報
【発明の開示】
【発明が解決しようとする課題】
【０００４】
しかしながら、例えばＤＶＤ−Ｒ（Ｄｉｇｉｔａｌ  Ｖｅｒｓａｔｉｌｅ  Ｄｉｓｃ−Ｒｅｃｏｒｄａｂｌｅ）ディスクのような追記型の記録媒体に記録されたコピー禁止情報を読み出し不能にする装置は存在しなかったため、追記型の記録媒体に記録されたコピー禁止情報を別の記録媒体に記録することは、コピー禁止情報を複製することになり、別の記録媒体に移動（ムーブ）することは不可能であった。
【０００５】
本発明は、前記の問題に着目してなされたものであり、追記型の記録媒体に記録されているコピー禁止情報を別の記録媒体に記録する際に、元のコピー禁止情報を読み出し不可能にすることによって、コピー禁止情報を移動できる信号処理装置、および信号処理方法を提供することを課題とする。
【課題を解決するための手段】
【０００６】
前記の課題を解決するため、請求項１の発明は、
追記型の記録媒体に記録されている情報を読み出して出力する信号処理装置であって、
前記追記型の記録媒体から情報を読み出す読み出し部と、
読み出した情報を他の記録媒体への記録装置に出力する送信部と、
複製を禁止されているコピー禁止情報が追記型の記録媒体から読み出されて他の記録媒体への記録装置に出力される場合に、前記コピー禁止情報、または前記読み出し部が前記コピー禁止情報を読み出すために必要な情報のうち少なくとも何れか一方の情報を、その記録領域に対する記録動作を行うことによって破壊し、前記コピー禁止情報を読み出し不能にする情報破壊部と、
を備えたことを特徴とする。
【０００７】
また、請求項２の発明は、
請求項１の信号処理装置であって、
前記情報破壊部は、前記コピー禁止情報、および前記読み出し部が前記コピー禁止情報を読み出すために必要な情報の両方の情報を破壊することによって、前記コピー禁止情報を読み出し不能にするように構成されていることを特徴とする。
【０００８】
これらにより、追記型の記録媒体に記録されているコピー禁止情報を出力するとともに、追記型の記録媒体に記録されているコピー禁止情報、およびコピー禁止情報を読み出すために必要な情報の少なくとも何れか一方の情報が破壊されるので、出力したコピー禁止情報が別の記録媒体に記録されることによって、コピー禁止情報の移動が可能になる。
【０００９】
また、請求項３の発明は、
請求項２の信号処理装置であって、
前記情報破壊部は、前記コピー禁止情報と前記コピー禁止情報を読み出すために必要な情報とが前記追記型の記録媒体の連続した領域に記録されている場合に、前記連続した領域に対し、連続して記録動作を行うことによって前記コピー禁止情報を読み出し不能にするように構成されていることを特徴とする。
【００１０】
また、請求項４の発明は、
請求項２の信号処理装置であって、
前記情報破壊部は、前記コピー禁止情報が記録されている前記追記型の記録媒体の領域と前記コピー禁止情報を読み出すために必要な情報が記録された領域との間に、未記録の領域、または破壊可能な情報が記録された領域が存在し、これらの３つの領域が連続している場合に、前記３つの領域に対し、連続して記録動作を行うことによって前記コピー禁止情報を読み出し不能にするように構成されていることを特徴とする。
【００１１】
これらにより、効率よくコピー禁止情報、およびコピー禁止情報を読み出すために必要な情報が破壊される。また、前記記録動作の制御が容易に行える。
【００１２】
また、請求項５の発明は、
請求項１の信号処理装置であって、
前記コピー禁止情報を読み出すために必要な情報は、
前記コピー禁止情報が記録されている前記追記型の記録媒体上の位置を示す情報、および
前記コピー禁止情報を他の情報と識別するための情報、
のうちの少なくとも何れか１つの情報であることを特徴とする。
【００１３】
これにより、追記型の記録媒体に記録されているコピー禁止情報を出力するとともに、追記型の記録媒体に記録されているコピー禁止情報、およびコピー禁止情報を読み出すために必要な情報の少なくとも何れか一方の情報が破壊されるので、出力したコピー禁止情報が別の記録媒体に記録されることによって、コピー禁止情報の移動が可能になる。
【００１４】
また、請求項６の発明は、
請求項１の信号処理装置であって、
前記追記型の記録媒体は、追記型光ディスクであり、
前記情報破壊部は、レーザー光を前記追記型光ディスクに照射することによって、前記追記型光ディスクに記録されている情報を破壊するように構成されていることを特徴とする。
【００１５】
これにより、追記型光ディスクに記録されているコピー禁止情報に対し、別の記録媒体への移動が可能になる。
【００１６】
また、請求項７の発明は、
請求項１の信号処理装置であって、
前記読み出し部は、前記追記型の記録媒体から情報を所定量のデータから成るブロック単位で読み出すように構成され、
前記情報破壊部は、前記ブロック内の全ての情報を破壊することによって、前記コピー禁止情報を読み出し不能にするように構成されていることを特徴とする。
【００１７】
これにより、破壊動作の途中でレーザー光の発光強度を変更することなく破壊を行えるので、発光強度の制御が容易になる。
【００１８】
また、請求項８の発明は、
請求項１の信号処理装置であって、
前記情報破壊部は、前記コピー禁止情報、または前記読み出し部が前記コピー禁止情報を読み出すために必要な情報のエラー訂正限界範囲以上の情報を破壊することによって、前記コピー禁止情報を読み出し不能にするように構成されていることを特徴とする。
【００１９】
また、請求項９の発明は、
請求項１の信号処理装置であって、
前記追記型の記録媒体に記録された情報は、読み出しのタイミング生成に用いるシンク情報を含むものであって、
前記情報破壊部は、前記シンク情報を破壊することによって、前記コピー禁止情報を読み出し不能にするように構成されていることを特徴とする。
【００２０】
これらにより、コピー禁止情報等に含まれる全ての情報を破壊することなくコピー禁止情報を読み出し不能にできる。
【００２１】
また、請求項１０の発明は、
請求項１の信号処理装置であって、
前記読み出し部は、前記追記型の記録媒体から情報を所定量のデータから成るブロック単位で読み出すように構成され、
前記情報破壊部は、隣接した２つのブロックを連続して破壊する場合に、最初に破壊するブロックの末尾から次に破壊するブロックの先頭にかけて、連続して一度にそれぞれのブロック内のエラー訂正限界範囲以上の情報を破壊することによって、前記コピー禁止情報を読み出し不能にするように構成されていることを特徴とする。
これにより、レーザー光の発光強度を切り替える間隔（時間）が２倍になるので、余裕を持ってレーザー制御を行うことが可能になる。また、切り替えの回数が半分になるので、制御のステップを減らすことができ、より高速に処理を行うことが可能になる。
【００２２】
また、請求項１１の発明は、
請求項６の信号処理装置であって、
前記情報破壊部は、前記追記型光ディスクに情報を記録する際に用いるレーザー光の発光強度と同等の発光強度のレーザー光を照射することによって、情報の破壊を行うように構成されていることを特徴とする。
【００２３】
これにより、通常の書き込みが行われる場合と同じ処理によりレーザー光の発光強度が制御され、コピー禁止情報等が破壊される。
【００２４】
また、請求項１２の発明は、
請求項６の信号処理装置であって、
前記情報破壊部は、前記追記型光ディスクに情報を記録際に用いるレーザー光の発光強度と情報を読み出し不能にするために必要最低限の発光強度との間の発光強度のレーザー光を照射することによって、情報の破壊を行うように構成されていることを特徴とする。
【００２５】
これにより、情報の破壊を行う際の消費電力を低減することが可能になる。
【００２６】
また、請求項１３の発明は、
請求項６の信号処理装置であって、
前記情報破壊部は、前記追記型光ディスクに情報を記録際に用いるレーザー光の発光強度よりも大きな発光強度のレーザー光を照射することによって、情報の破壊を行うように構成されていることを特徴とする。
【００２７】
これにより、追記型光ディスクに記録されている情報をより確実に破壊することが可能になる。
【００２８】
また、請求項１４の発明は、
請求項１１から請求項１３のうちの何れか１項の信号処理装置であって、
さらに、前記追記型光ディスクの回転速度を線速度一定制御、または角速度一定制御に制御する回転制御部を備えていることを特徴とする。
【００２９】
これにより、追記型光ディスクの回転速度が、線速度一定、または角速度一定に制御される。線速度一定に制御された場合には、前記発光強度の制御が容易になり、また、角速度一定の制御は、回転の制御が容易になる。
【００３０】
前記の課題を解決するため、請求項１５の発明は、
追記型の記録媒体に記録されている情報を読み出して出力する信号処理方法であって、
前記追記型の記録媒体から情報を読み出す読み出しステップと、
読み出した情報を他の記録媒体への記録装置に出力する送信ステップと、
複製を禁止されているコピー禁止情報が追記型の記録媒体から読み出されて他の記録媒体への記録装置に出力される場合に、前記コピー禁止情報、または前記読み出し部が前記コピー禁止情報を読み出すために必要な情報のうち少なくとも何れか一方の情報を、その記録領域に対する記録動作を行うことによって破壊し、前記コピー禁止情報を読み出し不能にする情報破壊ステップと、
を備えたことを特徴とする。
【００３１】
また、請求項１６の発明は、
請求項１５の信号処理方法であって、
前記情報破壊ステップは、前記コピー禁止情報、および前記読み出し部が前記コピー禁止情報を読み出すために必要な情報の両方の情報を破壊することによって、前記コピー禁止情報を読み出し不能にすることを特徴とする。
【００３２】
これらにより、追記型の記録媒体に記録されているコピー禁止情報を出力するとともに、追記型の記録媒体に記録されているコピー禁止情報、およびコピー禁止情報を読み出すために必要な情報の少なくとも何れか一方の情報が破壊されるので、出力したコピー禁止情報が別の記録媒体に記録されることによって、コピー禁止情報の移動が可能になる。
【００３３】
また、請求項１７の発明は、
請求項１６の信号処理方法であって、
前記情報破壊ステップは、前記コピー禁止情報と前記コピー禁止情報を読み出すために必要な情報とが前記追記型の記録媒体の連続した領域に記録されている場合に、前記連続した領域に対し、連続して記録動作を行うことによって前記コピー禁止情報を読み出し不能にすることを特徴とする。
【００３４】
また、請求項１８の発明は、
請求項１６の信号処理方法であって、
前記情報破壊ステップは、前記コピー禁止情報が記録されている前記追記型の記録媒体の領域と前記コピー禁止情報を読み出すために必要な情報が記録された領域との間に、未記録の領域、または破壊可能な情報が記録された領域が存在し、これらの３つの領域が連続している場合に、前記３つの領域に対し、連続して記録動作を行うことによって前記コピー禁止情報を読み出し不能にすることを特徴とする。
【００３５】
これらにより、効率よくコピー禁止情報、およびコピー禁止情報を読み出すために必要な情報が破壊される。また、前記記録動作の制御が容易に行える。
【００３６】
また、請求項１９の発明は、
請求項１５の信号処理方法であって、
前記コピー禁止情報を読み出すために必要な情報は、
前記コピー禁止情報が記録されている前記追記型の記録媒体上の位置を示す情報、および
前記コピー禁止情報を他の情報と識別するための情報、
のうちの少なくとも何れか１つの情報であることを特徴とする。
【００３７】
これにより、追記型の記録媒体に記録されているコピー禁止情報を出力するとともに、追記型の記録媒体に記録されているコピー禁止情報、およびコピー禁止情報を読み出すために必要な情報の少なくとも何れか一方の情報が破壊されるので、出力したコピー禁止情報が別の記録媒体に記録されることによって、コピー禁止情報の移動が可能になる。
【００３８】
また、請求項２０の発明は、
請求項１５の信号処理方法であって、
前記追記型の記録媒体は、追記型光ディスクであり、
前記情報破壊ステップは、レーザー光を前記追記型光ディスクに照射することによって、前記追記型光ディスクに記録されている情報を破壊することを特徴とする。
【００３９】
これにより、追記型光ディスクに記録されているコピー禁止情報に対し、別の記録媒体への移動が可能になる。
【００４０】
また、請求項２１の発明は、
請求項１５の信号処理方法であって、
前記読み出しステップは、前記追記型の記録媒体から情報を所定量のデータから成るブロック単位で読み出し、
前記情報破壊ステップは、前記ブロック内の全ての情報を破壊することによって、前記コピー禁止情報を読み出し不能にすることを特徴とする。
【００４１】
これにより、破壊動作の途中でレーザー光の発光強度を変更することなく破壊を行えるので、発光強度の制御が容易になる。
【００４２】
また、請求項２２の発明は、
請求項１５の信号処理方法であって、
前記情報破壊ステップは、前記コピー禁止情報、または前記読み出し部が前記コピー禁止情報を読み出すために必要な情報のエラー訂正限界範囲以上の情報を破壊することによって、前記コピー禁止情報を読み出し不能にすることを特徴とする。
【００４３】
また、請求項２３の発明は、
請求項１５の信号処理方法であって、
前記追記型の記録媒体に記録された情報は、読み出しのタイミング生成に用いるシンク情報を含むものであって、
前記情報破壊ステップは、前記シンク情報を破壊することによって、前記コピー禁止情報を読み出し不能にすることを特徴とする。
【００４４】
これらにより、コピー禁止情報等に含まれる全ての情報を破壊することなくコピー禁止情報を読み出し不能にできる。
【００４５】
また、請求項２４の発明は、
請求項１５の信号処理方法であって、
前記読み出しステップは、前記追記型の記録媒体から情報を所定量のデータから成るブロック単位で読み出し、
前記情報破壊ステップは、隣接した２つのブロックを連続して破壊する場合に、最初に破壊するブロックの末尾から次に破壊するブロックの先頭にかけて、連続して一度にそれぞれのブロック内のエラー訂正限界範囲以上の情報を破壊することによって、前記コピー禁止情報を読み出し不能にすることを特徴とする。
これにより、レーザー光の発光強度を切り替える間隔（時間）が２倍になるので、余裕を持ってレーザー制御を行うことが可能になる。また、切り替えの回数が半分になるので、制御のステップを減らすことができ、より高速に処理を行うことが可能になる。
【００４６】
また、請求項２５の発明は、
請求項２０の信号処理方法であって、
前記情報破壊ステップは、前記追記型光ディスクに情報を記録する際に用いるレーザー光の発光強度と同等の発光強度のレーザー光を照射することによって、情報の破壊を行うことを特徴とする。
【００４７】
これにより、通常の書き込みが行われる場合と同じ処理によりレーザー光の発光強度が制御され、コピー禁止情報等が破壊される。
【００４８】
また、請求項２６の発明は、
請求項２０の信号処理方法であって、
前記情報破壊ステップは、前記追記型光ディスクに情報を記録際に用いるレーザー光の発光強度と情報を読み出し不能にするために必要最低限の発光強度との間の発光強度のレーザー光を照射することによって、情報の破壊を行うことを特徴とする。
【００４９】
これにより、情報の破壊を行う際の消費電力を低減することが可能になる。
【００５０】
また、請求項２７の発明は、
請求項２０の信号処理方法であって、
前記情報破壊ステップは、前記追記型光ディスクに情報を記録際に用いるレーザー光の発光強度よりも大きな発光強度のレーザー光を照射することによって、情報の破壊を行うことを特徴とする。
【００５１】
これにより、追記型光ディスクに記録されている情報をより確実に破壊することが可能になる。
【００５２】
また、請求項２８の発明は、
請求項２５から請求項２７のうちの何れか１項の信号処理方法であって、
さらに、前記追記型光ディスクの回転速度を線速度一定制御、または角速度一定制御に制御する回転制御ステップを有することを特徴とする。
【００５３】
これにより、追記型光ディスクの回転速度が、線速度一定、または角速度一定に制御される。線速度一定に制御された場合には、前記発光強度の制御が容易になり、また、角速度一定の制御は、回転の制御が容易になる。
【発明の効果】
【００５４】
本発明によれば、追記型の記録媒体に記録されたコピー禁止情報を別の記録媒体に記録する際に、コピー禁止情報を読み出し不可能にすることによって、コピー禁止情報の移動が可能になる。
【発明を実施するための最良の形態】
【００５５】
以下、本発明の実施形態として、追記型の記録媒体であるＤＶＤ−Ｒディスクに記録された、複製が禁止されている情報（コピー禁止情報）を移動先の記録再生装置に出力するとともに、追記型の記録媒体上の所定の情報を破壊することによって、前記コピー禁止情報を読み出せなくする信号処理装置について図面を参照しながら説明する。
【００５６】
（信号処理装置の構成）
図１は、本発明の実施形態に係る信号処理装置１００の構成を示すブロック図である。同図示すように信号処理装置１００は、ディスクモータ１０１、光ピックアップ１０２、スレッド１０３、ＦＧ（Ｆｒｅｑｕｅｎｃｙ  Ｇｅｎｅｒａｔｏｒ）１０４、ディスク回転制御部１０５、信号処理部１０６、コピー禁止情報確認部１０７、コピー禁止情報通知部１０８、受信部１０９、ムーブ制御部１１０、情報位置検出部１１１、線速度計測部１１２、レーザ制御部１１３、および送信部１１４を備えて構成されている。また、追記型光ディスク２００（ＤＶＤ−Ｒディスク）は、コピー禁止情報が記録された追記型の記録媒体であり、記録再生装置３００は、コピー禁止情報の移動先の記録再生装置である。
【００５７】
信号処理装置１００のディスクモータ１０１は追記型光ディスク２００を回転させるようになっている。
【００５８】
光ピックアップ１０２は、レーザ制御部１１３の制御に応じてスレッド１０３上を移動することによって、追記型光ディスク２００の所定の位置に対し、データの読み出し、および書き込みを行うようになっている。
【００５９】
ＦＧ１０４は、ディスクモータ１０１の角速度を検出し、角速度の情報を出力するようになっている。
【００６０】
ディスク回転制御部１０５は、ＦＧ１０４が出力した角速度の情報、または線速度計測部１１２が出力する線速度の情報を用い、ディスクモータ１０１の回転を角速度一定制御（ＣＡＶ制御）、または線速度一定制御（ＣＬＶ制御）の方式により制御するようになっている。
【００６１】
信号処理部１０６は、光ピックアップ１０２が追記型光ディスク２００から読み取った信号から再生クロックを生成し、出力するようになっている。
【００６２】
コピー禁止情報確認部１０７は、後述する管理情報から、追記型光ディスク２００にコピー禁止情報が記録されているかどうかを確認するようになっている。
【００６３】
コピー禁止情報通知部１０８は、コピー禁止情報確認部１０７がコピー禁止情報が記録されていることを確認した場合に、コピー禁止情報が記録されていることを記録再生装置３００に通知するようになっている。
【００６４】
受信部１０９は、記録再生装置３００から送られた信号を受信するようになっている。
【００６５】
ムーブ制御部１１０は、追記型光ディスク２００上で破壊する情報、破壊するサイズ、および一度に破壊する単位を決定し、これらを示す情報をレーザ制御部１１３に出力するようになっている。破壊する情報は、具体的には、管理情報、ユーザデータ、ファイルシステム、または管理情報とユーザデータの両方の情報の何れかに決定するようになっている。
【００６６】
ここで、管理情報とは、追記型光ディスク２００に記録された画像などのデータの位置や、これらのデータがコピー禁止情報かどうか等を示す情報であり、前記データを読み出すために必要となる情報である。例えば、ＤＶＤ−Ｒディスクでは、図２のＣｏｎｔｒｏｌ  ｄａｔａ  ｚｏｎｅに記録された情報がこれにあたる。
【００６７】
また、ユーザデータとは、実際に再生した時に画像や音声となるデータ、およびファイルシステムであり、図２の例ではＵｓｅｒ  ｄａｔａ  ａｒｅａに記録された情報がこれにあたる。また、ファイルシステムには、例えば、画像や音声となるデータを特定するためのファイル名などの情報が含まれている。
【００６８】
情報位置検出部１１１は、信号処理部１０６から入力された再生クロックから、前記コピー禁止情報等のアドレスの情報を検出し、レーザ制御部１１３に出力するするようになっている。
【００６９】
線速度計測部１１２は、光ピックアップ１０２が読み出しを行っている位置における追記型光ディスク２００の線速度を求め、求めた線速度の情報をレーザ制御部１１３に出力するようになっている。線速度計測部１１２は、具体的には、線速度を例えばウォブルクロック周期から求めるようにしたり、ディスク回転数とディスク種別とトラバース位置から算出するように構成されている。また、読み出しのアドレス、読み出しのクロック周期から算出するように構成することも可能である。
【００７０】
レーザ制御部１１３は、線速度計測部１１２が出力した線速度の情報を用いて情報の破壊を行う際のレーザパワーを設定、および光ピックアップ１０２の位置の設定を行うようになっている。
【００７１】
送信部１１４は、コピー禁止情報を記録再生装置３００に送信するようになっている。
【００７２】
（信号処理装置の動作）
図３は、前記ように構成された信号処理装置１００の動作を示すフローチャートである。各ステップにおける動作は以下のようになる。
【００７３】
［Ｓ１０１］
ディスク回転制御部１０５は、ディスクモータ１０１を回転させ、追記型光ディスク２００を起動する。次にレーザ制御部１１３は、スレッド１０３上の光ピックアップ１０２を管理情報が記録されたアドレスに移動させ、追記型光ディスク２００に記録された管理情報を読み取らせる。読み取られた管理情報は、図示しないメモリに格納される。
【００７４】
［Ｓ１０２］
コピー禁止情報確認部１０７は、読み取った管理情報を用い、追記型光ディスク２００にコピー禁止情報が記録されているかどうかを確認する。
【００７５】
［Ｓ１０３］
コピー禁止情報確認部１０７がコピー禁止情報が記録されていることを確認した場合、コピー禁止情報通知部１０８は、記録再生装置３００に対し、追記型光ディスク２００にコピー禁止情報が記録されていることを通知する。
【００７６】
［Ｓ１０４］
ムーブ制御部１１０は、記録再生装置３００から送られる、コピー禁止情報のムーブ要求をポーリングする。受信部１０９を介してムーブ要求を受信した場合、Ｓ１０５を実行する。
【００７７】
［Ｓ１０５］
ムーブ制御部１１０は、管理情報の破壊、ユーザデータの破壊、ファイルシステムの破壊、または管理情報とユーザデータの両方の破壊（全体破壊）の何れを行うかを決定し、決定した情報をレーザ制御部１１３に出力する。
【００７８】
なお、管理情報やファイルシステムを破壊する場合は、小さな範囲の破壊で済むので、短時間での破壊が可能になり、また、ユーザデータ破壊する場合は、コピー禁止情報自体が確実に破壊されるという特徴がある。
【００７９】
［Ｓ１０６］
ムーブ制御部１１０は、受信部１０９を介して記録再生装置３００から送られる、追記型光ディスク２００に記録されたコピー禁止情報の読み出し要求をポーリングする。
【００８０】
［Ｓ１０７、Ｓ１０９、またはＳ１１０］
受信部１０９で前記読み出し要求を受信した場合、ムーブ制御部１１０において決定された破壊方式に応じて、管理情報の破壊（Ｓ１０８）、ファイルシステムの破壊（Ｓ１１１）、ユーザデータの破壊（Ｓ１１２）、または全体破壊（Ｓ１１３）を行う。
【００８１】
Ｓ１０８、Ｓ１１１、Ｓ１１２、およびＳ１１３における、それぞれの破壊の動作を以下に説明する。
【００８２】
図４は、前記Ｓ１０８において、管理情報が破壊される際の動作を示すフローチャートである。同図の各ステップにおける動作は以下のようになる。
【００８３】
［Ｓ２０１］
ムーブ制御部１１０は、破壊する情報が格納されている先頭アドレス、および破壊するサイズを決定する。例えば、ＤＶＤ−Ｒディスクの管理情報を破壊する際には、消費電力を抑えたり、または短時間で、記録媒体上の位置を示す情報を破壊したい場合には、図２に示すＣｏｎｔｒｏｌ  ｄａｔａ  ｚｏｎｅとＲ−Ｐｈｙｓｉｃａｌ  Ｆｏｒｍａｔ  Ｉｎｆｏｒｍａｔｉｏｎ  ｚｏｎｅの全て、またはその一部を破壊するように決定し、また、容易な制御で、記録媒体上の位置を示す情報を破壊したい場合には、前記Ｒ−Ｐｈｙｓｉｃａｌ  Ｆｏｒｍａｔ  Ｉｎｆｏｒｍａｔｉｏｎ  ｚｏｎｅとＣｏｎｔｒｏｌ  ｄａｔａ  ｚｏｎｅも含め、物理アドレスが３００００ｈ以下の記録可能な部分について破壊するように決定する。
【００８４】
なお、破壊する方法の決定については、装置毎に目的に応じて固定であってもよいし、また移動先の記録再生装置からの指示に応じた破壊する方法によって破壊を行うようにしてもよい。
【００８５】
［Ｓ２０２］
ムーブ制御部１１０は、一度に破壊する情報の単位を決定する。一度に破壊する情報の単位は、例えば、記録された部分の情報を全て破壊するように決定してもよいし、図５に示す情報読み出しに必要な最小単位ブロックであるＥＣＣ（Ｅｒｒｏｒ−Ｃｏｒｒｅｃｔｉｏｎ  Ｃｏｄｅ）ブロック４０１内全体を破壊するように決定してもよい。また、破壊時の消費電力を抑えるため、ＥＣＣブロック４０１中の誤り訂正限界を超えるシンクコード４０２とデータ４０３を合わせたシンクフレーム４０４について、３０シンクフレーム以上の範囲としてもよい。また、読み出しのタイミング生成に必要な、シンクコード４０２の全てとしてもよい。また、破壊時のレーザー制御時間に余裕を持たせるため、図６に示す隣接する２つのＥＣＣブロック５０１において、最初のＥＣＣブロックの最後の３０シンクフレームと、次のＥＣＣブロックの最初の３０シンクフレームの計６０シンクフレームとしてもよい。
【００８６】
［Ｓ２０３］
レーザ制御部１１３は、破壊する管理情報の先頭アドレス付近に、光ピックアップ１０２を移動させる。
【００８７】
［Ｓ２０４］
レーザ制御部１１３は、情報を破壊する際のレーザーパワー（発光強度）を後述するように設定する。
【００８８】
［Ｓ２０５］
光ピックアップ１０２は、Ｓ２０１で設定されたレーザーパワーのレーザーで、Ｓ２０１で決定した破壊サイズ分、破壊単位毎に管理情報を破壊する。
【００８９】
［Ｓ２０６］
レーザ制御部１１３は、情報位置検出部１１１から入力されるアドレス情報を用いて、指定したサイズの管理情報の破壊が完了したかを確認する。指定したサイズの管理情報の破壊が完了していない場合は、Ｓ２０３に戻る。
【００９０】
［Ｓ２０７］
追記型光ディスク２００に記録されているユーザデータを、光ピックアップ１０２で読み出し、図示しないメモリに一旦保持した後、信号処理部１０６から送信部１１４を通じて、記録再生装置３００に送信する。
【００９１】
以上の動作により、管理情報が破壊される。
【００９２】
また、図７は、前記Ｓ１１１において、ファイルシステムが破壊される際の動作を示すフローチャートである。同図の各ステップにおける動作は以下のようになる。
【００９３】
［Ｓ３０１］
ムーブ制御部１１０は、破壊するファイルシステムが格納されている先頭アドレスおよび破壊するサイズを決定する。
【００９４】
［Ｓ３０２］
ムーブ制御部１１０は、一度に破壊する単位を決定する。破壊する単位については、管理情報の破壊（Ｓ２０２）の場合と同様である。
【００９５】
［Ｓ３０３］
追記型光ディスク２００に記録されているユーザデータ中のファイルシステムの部分を、光ピックアップ１０２で読み出し、図示しないメモリに一旦保持した後、信号処理部１０６から送信部１１４を通じて、記録再生装置３００に送信する。
【００９６】
［Ｓ３０４］
レーザ制御部１１３は、破壊するファイルシステムの先頭アドレス付近に、光ピックアップ１０２を移動させる。
【００９７】
［Ｓ３０５］
レーザ制御部１１３は、情報を破壊する際のレーザーパワーを後述するように設定する。
【００９８】
［Ｓ３０６］
光ピックアップ１０２は、Ｓ３０５で設定されたレーザーパワーのレーザーで、Ｓ３０１で決定した破壊サイズ分、破壊単位毎にファイルシステムを破壊する。
【００９９】
［Ｓ３０７］
レーザ制御部１１３は、情報位置検出部１１１から入力されるアドレス情報を用いて、指定したサイズのファイルシステムの破壊が完了したかを確認する。指定したサイズのファイルシステムの破壊が完了していなければ、Ｓ３０４に戻る。
【０１００】
［Ｓ３０８］
追記型光ディスク２００に記録されているファイルシステム以外のユーザデータを光ピックアップ１０２で読み出し、図示しないメモリに一旦保持した後、信号処理部１０６から送信部１１４を通じて、記録再生装置３００に送信する。
【０１０１】
以上の動作により、ファイルシステムが破壊される。
【０１０２】
また、図８は、前記Ｓ１１２において、ユーザデータが破壊される際の動作を示すフローチャートである。同図における各ステップの動作は以下のようになる。
【０１０３】
［Ｓ４０１］
一度に破壊する単位を決定する。破壊する単位については、管理情報の破壊（Ｓ２０２）の場合と同様である。
【０１０４】
［Ｓ４０２］
破壊する情報が格納されている追記型光ディスク２００の先頭アドレスおよび破壊するサイズを決定する。
【０１０５】
［Ｓ４０３］
追記型光ディスク２００に記録されているユーザデータを光ピックアップ１０２で読み出し、図示しないメモリに一旦保持した後、信号処理部１０６から送信部１１４を通じて、記録再生装置３００に送信する。
【０１０６】
［Ｓ４０４］
光ピックアップ１０２を破壊するユーザデータの先頭アドレス付近に移動させる。
【０１０７】
［Ｓ４０５］
レーザ制御部１１３は、情報を破壊する際のレーザーパワーを後述するように設定する。
【０１０８】
［Ｓ４０６］
光ピックアップ１０２は、Ｓ４０５で設定されたレーザーパワーのレーザーで、Ｓ４０２で決定した破壊サイズ分、破壊単位毎にユーザデータを破壊する。
【０１０９】
［Ｓ４０７］
全てのユーザデータの破壊が完了したかどうかを確認する。完了していない場合はＳ４０２に戻る。
【０１１０】
以上の動作により、ユーザデータが破壊される。
【０１１１】
なお、ユーザデータの読み出しと送信（Ｓ４０３）の動作をループ構成としたのは、追記型光ディスク２００に記録された全てのユーザデータを読み出し、前記移動先記録媒体に情報を記録する記録再生装置３００に転送した後、追記型光ディスク２００に記録されたユーザデータの破壊を行うようにすると、同一のユーザデータが２つの装置で存在することになり、この状態で意図的に電源が遮断されると、事実上ユーザデータのコピーが可能になってしまい、これを防ぐ必要があるからである。
【０１１２】
また、管理情報とユーザデータの両方の情報の破壊（全体破壊）を行う場合は、それぞれの情報を順次破壊する。破壊する順序は、追記型光ディスク２００の構成に応じて決定すると効率的な破壊が可能になる。例えば、追記型光ディスク２００の構成が、図９のような構成であれば、管理情報部の破壊順序は、ユーザデータ部の先頭部分の破壊を行う時に、一緒に破壊し、また、管理情報部、中間エリア（未記録エリア、または例えば前記追記型光ディスク２００上の位置を表す情報や、他の情報と識別するための情報ではない削除してもよい情報が記録されたエリア）、およびユーザデータ部が連続して配置された構成であれば、管理情報部からユーザデータ部まで、前記中間エリアを含め連続して破壊してやることで、物理アドレス０ｈから連続的な破壊動作が可能となり、光ディスクシステムのような光ピックアップを移動して目的アドレスへのアクセスをするシステムの場合、光ピックアップの移動回数を減らすことが可能であり、効率的である。
【０１１３】
図１０は、Ｓ１１３において、管理情報とユーザデータが連続的に破壊される場合の動作を示すフローチャートである。同図の各ステップにおける動作は以下のようになる。
【０１１４】
［Ｓ５０１］
一度に破壊する単位を決定する。破壊する単位については、管理情報の破壊（Ｓ２０２）の場合と同様である。
【０１１５】
［Ｓ５０２］
破壊する情報が格納されている追記型光ディスク２００の先頭アドレスおよび破壊するサイズを決定する。
【０１１６】
最初の破壊動作での先頭アドレスは、破壊する管理情報の先頭アドレス付近とする。追記型光ディスクの場合、管理情報は、ユーザデータの内周側にあるため、最初の破壊動作において、管理情報のみ、またはユーザデータを含めた管理情報が破壊するためである。これにより、連続的な破壊動作が可能になる。
【０１１７】
［Ｓ５０３］
追記型光ディスク２００に記録されているユーザデータを光ピックアップ１０２で読み出し、図示しないメモリに一旦保持した後、信号処理部１０６から送信部１１４を通じて、記録再生装置３００に送信する。
【０１１８】
［Ｓ５０４］
光ピックアップ１０２をＳ５０２で決定した先頭アドレス付近に移動させる。
【０１１９】
［Ｓ５０５］
レーザ制御部１１３は、情報を破壊する際のレーザーパワーを後述するように設定する。
【０１２０】
［Ｓ５０６］
光ピックアップ１０２は、Ｓ５０５で設定されたレーザーパワーのレーザーで、Ｓ５０２で決定した破壊サイズ分、破壊単位毎にユーザデータ、または管理情報を破壊する。
【０１２１】
［Ｓ５０７］
指定したサイズの管理情報、および全てのユーザデータの破壊が完了したかどうかを確認する。破壊が完了していなければ、Ｓ５０２に戻る。
【０１２２】
以上の動作により、管理情報とユーザデータの両方の情報が破壊される。
【０１２３】
また、前記Ｓ２０４、Ｓ３０５、Ｓ４０５、およびＳ５０５における、レーザ制御部１１３によるレーザーパワーの設定は、図１１のフローチャートに示すように行われる。同図における各ステップの動作は以下のようになる。
【０１２４】
［Ｓ６０１］
回転速度制御の方式が前記ＣＬＶ制御の場合はＳ６０３に分岐し、前記ＣＡＶ制御の場合はＳ６０２に分岐する。
【０１２５】
［Ｓ６０２］
線速度計測部１１２は、破壊を行う情報が記録されている位置での線速度を計測する。
【０１２６】
［Ｓ６０３］
所定のレーザーパワー（後述）が設定されているかどうか判定する。設定されていない場合はＳ６０４に分岐する。設定されている場合は、設定動作を終了する。
【０１２７】
［Ｓ６０４］
ＣＬＶ制御で制御されている線速度、またはＳ６０２にて求めた線速度に応じ、情報の破壊に最適なレーザーパワーを設定する。
【０１２８】
図１２は、回転制御が前記ＣＡＶ制御の場合に、追記型光ディスク２００に記録された情報を破壊する際の記録レーザーパワー設定の種々のパターンを示す図である。同図の横軸は線速度、縦軸はレーザーパワーである。
【０１２９】
追記型光ディスク２００の回転制御が前記ＣＡＶ制御の場合は、最内周から最外周に向けて線速度が逐次変化するため、破壊する位置の線速度に応じ、レーザーパワーが設定される。
【０１３０】
パターン７０１は、線速度に応じ、追記型光ディスクに記録する際に用いられるレーザー光のレーザーパワーと同等のレーザーパワーを設定するパターンである。このパターンでは通常の記録時と同じ処理のため、レーザーパワーの制御が容易である。
【０１３１】
パターン７０２は、読み出し不能にするために必要な最低限のレーザーパワーを線速度に比例して設定するパターンである。このパターンでは、消費電力を抑えることが可能になる。
【０１３２】
パターン７０３は、最内周から最外周の線速度（横軸）を複数段階の範囲に分割し、個々の範囲内はレーザーパワーをパターン７０２の読み出し不能にするために必要な最低限のレーザーパワー以上の一定値に設定するパターンである。このパターンでは、レーザー制御を簡易化することが可能になる。
【０１３３】
パターン７０４は、最内周から最外周までの全周で、パターン７０２の読み出し不能にするために必要な最低限のレーザーパワー以上、かつ一定値に設定するパターンである。このパターンでは、レーザー制御をさらに簡易化することが可能になる。
【０１３４】
追記型光ディスク２００の回転制御がＣＬＶ制御の場合は、追記型光ディスク２００の線速度を一定の線速度に制御するので、レーザーパワーは、その線速度に応じた一定値（例えば、その線速度に対応する、情報を読み出し不能にするために必要な最低限のレーザーパワー）に制御する。このように、ＣＬＶ制御ではレーザーパワーの制御を容易に行うことができる。
【０１３５】
なお、ＣＡＶ制御、ＣＬＶ制御に関わらず、追記型光ディスク２００の線速度に対して、パターン７０１におけるレーザーパワーとパターン７０２におけるレーザーパワーの間のレーザーパワーで記録することにより、消費電力を抑えながら追記型光ディスク２００に記録された情報を読み出し不能にすることができる。
【０１３６】
また、追記型光ディスクにおいて、パターン７０１におけるレーザーパワー（記録する際に用いられるレーザー光と同等のレーザーパワー）以上のレーザーパワーで記録することにより、追記型光ディスクの記録膜を破壊し、ディスクをより確実に破壊することができる。
【０１３７】
以上のように、本実施例によれば、追記型光ディスク２００に記録されたコピー禁止情報を移動先の記録再生装置に送信すると伴に、追記型光ディスク２００に記録された所定の情報を破壊してコピー禁止情報を再生不能することによって、追記型光ディスク２００に記録されたコピー禁止情報を移動（ムーブ）することができる。
【０１３８】
また、コピー禁止情報を読み出すために必要な情報を破壊した後にコピー禁止情報を出力したり、コピー禁止情報を一部ずつ出力するとともに、出力したものを順次追記型の記録媒体から破壊するので、コピー禁止情報が複製されてしまうことを防止することが可能、すなわち安全な移動が可能になる。
【０１３９】
なお、本実施形態に係る装置では、コピー禁止情報の移動自体は、ＤＶＤ−Ｒディスクのような追記型光ディスクに記録されたコピー禁止情報だけでなく、書き換え型の記録媒体に記録されたコピー禁止情報についても可能である。
【０１４０】
また、破壊方法の決定（前記Ｓ１０５を参照）は、コピー禁止情報の有無を確認するＳ１０２の実行後から、コピー禁止情報の読み出し要求を受け、破壊処理に移行するまでの間に行われていれば、図３に示した順序には限られない。
【０１４１】
また、前記の実施形態では、コピー禁止情報の移動を行う度に、破壊する情報、破壊するサイズ、および破壊する単位を決定する例を説明したが、予め定めておいたサイズ等の情報や、ユーザの指定に基づいて、レーザ制御部１１３を制御するようにしてもよい。
【産業上の利用可能性】
【０１４２】
本発明にかかる信号処理装置、および信号処理方法は、追記型の記録媒体に記録されたコピー禁止情報を別の記録媒体に記録する際に、コピー禁止情報を読み出し不可能にすることによって、コピー禁止情報の移動が可能になるという効果を有し、追記型の記録媒体に記録された、複製が禁止された情報（コピー禁止情報）を別の記録媒体に移動（ムーブ）する信号処理装置等として有用である。
【図面の簡単な説明】
【０１４３】
【図１】本発明の実施形態に係る信号処理装置の構成を示すブロック図である。
【図２】ＤＶＤ−Ｒディスクにおけるアドレスマッピングを示す図である。
【図３】コピー禁止情報のムーブ開始から終了までの信号処理装置の動作を示すフローチャートである。
【図４】管理情報が破壊される際の動作を示すフローチャートである。
【図５】再生単位であるＥＣＣブロックの構成を示す図である。
【図６】連続したＥＣＣブロックを示す図である。
【図７】ファイルシステムが破壊される際の動作を示すフローチャートである。
【図８】ユーザデータが破壊される際の動作を示すフローチャートである。
【図９】追記型光ディスクのアドレスマッピングの一例を示す図である。
【図１０】管理情報とユーザデータの両方の情報が破壊（全体破壊）される際の動作を示すフローチャートである。
【図１１】レーザーパワーの設定が行われる際の動作を示すフローチャートである。
【図１２】追記型光ディスクに記録された情報を破壊する場合の記録レーザーパワー設定の種々のパターンを示す図である。
【符号の説明】
【０１４４】
１００      信号処理装置
１０１      ディスクモータ
１０２      光ピックアップ
１０３      スレッド
１０４      ＦＧ
１０５      ディスク回転制御部
１０６      信号処理部
１０７      コピー禁止情報確認部
１０８      コピー禁止情報通知部
１０９      受信部
１１０      ムーブ制御部
１１１      情報位置検出部
１１２      線速度計測部
１１３      レーザー制御部
１１４      送信部
２００      追記型光ディスク
３００      記録再生装置
４０１      ＥＣＣブロック
４０２      シンクコード
４０３      データ
４０４      シンクフレーム
５０１      ＥＣＣブロック
７０１      パターン
７０２      パターン
７０３      パターン
７０４      パターン
【図１】
2006155816.tif 000003
【図２】
2006155816.tif 000004
【図３】
2006155816.tif 000005
【図４】
2006155816.tif 000006
【図５】
2006155816.tif 000007
【図６】
2006155816.tif 000008
【図７】
2006155816.tif 000009
【図８】
2006155816.tif 000010
【図９】
2006155816.tif 000011
【図１０】
2006155816.tif 000012
【図１１】
2006155816.tif 000013
【図１２】
2006155816.tif 000014